(57)【要約】【課題】破砕片の飛散を効果的に防止できる金属製防飛散養生チェーンを備えたジャイアントブレーカー、及びジャイアントブレーカーへの金属製防飛散養生チェーン等の取り付け方法を提案すること等を目的とする。【解決手段】ジャイアントブレーカーのノミと離間して、ノミの周囲の少なくとも一部に、一端がジャイアントブレーカーのヘッドに実装されて他端が自由状態とされた、複数の金属製防飛散養生チェーンを備え、金属製防飛散養生チェーンは、ノミが垂直下方に最大に延伸されてその先端が地面に接する状態において、他端が少なくとも地面に接触するだけの長さを備えるジャイアントブレーカーとする。【選択図】図１
2018187690.tif 000002
【特許請求の範囲】
【請求項１】
ジャイアントブレーカーのノミと離間して、前記ノミの周囲の少なくとも一部に、一端が前記ジャイアントブレーカーのヘッドに実装されて他端が自由状態とされた、複数の金属製防飛散養生チェーンを備え、
前記金属製防飛散養生チェーンは、前記ノミが垂直下方に最大に延伸されてその先端が地面に接する状態において、前記他端が少なくとも地面に接触するだけの長さを備える
ことを特徴とするジャイアントブレーカー。
【請求項２】
請求項１に記載のジャイアントブレーカーにおいて、
前記金属製防飛散養生チェーンの一端は、前記ヘッドの下方に備えられ前記ヘッドの壁面から外側に張り出した段差部に実装される
ことを特徴とするジャイアントブレーカー。
【請求項３】
請求項１または請求項２に記載のジャイアントブレーカーにおいて、
前記金属製防飛散養生チェーンの一端は、前記ヘッドに溶接で実装される
ことを特徴とするジャイアントブレーカー。
【請求項４】
請求項１乃至請求項３のいずれか一項に記載のジャイアントブレーカーにおいて、
前記金属製防飛散養生チェーンは、前記ノミが垂直下方に最大に延伸されてその先端が地面に接する状態において、地面に接する程度の長さである
ことを特徴とするジャイアントブレーカー。
【請求項５】
請求項１乃至請求項４のいずれか一項に記載のジャイアントブレーカーにおいて、
前記複数の金属製防飛散養生チェーンは、同一の長さで並列に実装される
ことを特徴とするジャイアントブレーカー。
【請求項６】
請求項１に記載のジャイアントブレーカー、における前記金属製防飛散養生チェーンの取り付け方法において、
前記複数の金属製防飛散養生チェーンを一本ずつ、その一端を前記ヘッドの側面に溶接で取り付ける、工程を有する
ことを特徴とするジャイアントブレーカーの金属製防飛散養生チェーンの取り付け方法。
【請求項７】
ジャイアントブレーカーのノミと離間して、前記ノミの周囲の少なくとも一部に、一端が前記ジャイアントブレーカーのヘッドに実装されて他端が自由状態とされた、複数の金属製防飛散養生ワイヤを備え、
前記金属製防飛散養生ワイヤは、前記ノミが垂直下方に最大に延伸されてその先端が地面に接する状態において、前記他端が少なくとも地面に接触するだけの長さを備える
ことを特徴とするジャイアントブレーカー。
【請求項８】
請求項７に記載のジャイアントブレーカーにおいて、
前記金属製防飛散養生ワイヤの一端は、前記ヘッドの下方に備えられ前記ヘッドの壁面から外側に張り出した段差部に実装される
ことを特徴とするジャイアントブレーカー。
【請求項９】
請求項７または請求項８に記載のジャイアントブレーカーにおいて、
前記金属製防飛散養生ワイヤの一端は、前記ヘッドに溶接で実装される
ことを特徴とするジャイアントブレーカー。
【請求項１０】
請求項７乃至請求項９のいずれか一項に記載のジャイアントブレーカーにおいて、
前記金属製防飛散養生ワイヤは前記ノミを並行であって、前記ノミが垂直下方に最大に延伸されてその先端が地面に接する状態において、地面に接する程度の長さである
ことを特徴とするジャイアントブレーカー。
【請求項１１】
請求項７乃至請求項１０のいずれか一項に記載のジャイアントブレーカーにおいて、
前記複数の金属製防飛散養生ワイヤは、同一の長さで並列に実装される
ことを特徴とするジャイアントブレーカー。
【請求項１２】
請求項７乃至請求項１１のいずれか一項に記載のジャイアントブレーカーにおいて、
前記複数の金属製防飛散養生ワイヤは、
ナイロンスリングを芯として備えるか、または、布と鋼材を巻き込んだワイヤである
ことを特徴とするジャイアントブレーカー。
【請求項１３】
請求項７に記載のジャイアントブレーカー、における前記金属製防飛散養生ワイヤの取り付け方法において、
前記複数の金属製防飛散養生ワイヤを一本ずつ、その一端を前記ヘッドの側面に前記ノミと並行になるように溶接で取り付ける、工程を有する
ことを特徴とするジャイアントブレーカーの金属製防飛散養生ワイヤの取り付け方法。
【請求項１４】
請求項１乃至請求項４または請求項７乃至請求項１１のいずれか一項に記載のジャイアントブレーカーにおいて、
前記ノミの周囲の少なくとも一部とは、前記ジャイアントブレーカーの運転席から見て、前記ノミの前方及び前記ノミの右側面及び前記ノミの左側面である
ことを特徴とするジャイアントブレーカー。
【請求項１５】
請求項１乃至請求項４または請求項７乃至請求項１１のいずれか一項に記載のジャイアントブレーカーにおいて、
前記金属製防飛散養生チェーンまたは前記金属製防飛散養生ワイヤを覆うシートを備える
ことを特徴とするジャイアントブレーカー。
【発明の詳細な説明】
【技術分野】
【０００１】
本発明は、ジャイアントブレーカー及びジャイアントブレーカーにおける金属製防飛散養生チェーン等の取り付け方法に関する。
【背景技術】
【０００２】
鉄筋コンクリート構造体や地盤、岩石などを加工したり粉砕したりする削岩装置や掘削機などの加工装置においては、粉砕作業時に発生する粉塵や破砕片の飛散が問題となる。特に、通行人や通行車両等が多い都会等において、ビルの取り壊し粉砕作業等を遂行する場合には、破砕片等が飛散することは安全上重要な懸念を招来する。そのため、これらの加工装置において飛散を抑制するための技術が要求される。
【０００３】
下記特許文献１には、軽量で着脱作業性および防音性に優れた防音装置およびこれを備えた加工装置を提供することを目的とする発明が開示されている。
【０００４】
また、下記特許文献１では、騒音発生源である伝達部および／または加工部を覆う防音装置を、断熱性シートからなる内部カバーと、遮音性シートからなる外部カバーとの二重構造としているので、軽量で着脱作業性がよく、また防音性能にすぐれた防音装置およびこれを備えた加工装置を構成することができることが記載されている。
【０００５】
また、下記特許文献２では、はつり作業時の飛散防止対策とともに、油圧ブレーカーの操作者が容易にノミを視認できる粉塵飛散防止装置として、建設機械のブレーカーによるはつり作業に用いる粉塵飛散防止装置であって、該建設機械のノミの周りに被包するように配設された内部を視認することが可能な外部カバーと、外部カバーの上端部を、ノミを保持するブレーカー機体部に取り付ける固定手段と、からなる粉塵飛散防止装置が開示されている。さらに、下記特許文献３では、コンクリートブレーカーの打撃のみの周囲に配置されて、使用時には下方に伸長して開く蛇腹バケットからなる飛散防止用カバーが開示されている。
【先行技術文献】
【特許文献】
【０００６】
【特許文献１】特開２００６−０２２５６８号公報
【特許文献２】特開２０１７−０２４１２９号公報
【特許文献３】特開平０６−０６３８７３号公報
【発明の概要】
【発明が解決しようとする課題】
【０００７】
従来、破砕片等の飛散防止に有効な金属（チェーンまたはワイヤ）養生を取り付けたジャイアントブレーカーは知られていない。油圧ブレーカーであるジャイアントブレーカーは、油圧アクチュエータによりノミを駆動させて、鉄筋コンクリート等を破砕する。その破砕作業時には、コンクリート粉塵やコンクリート片等を含む破砕片が生じる。
【０００８】
大きな破砕片は、重力により下方に自然落下する場合が多いが、中小の破砕片は打撃ノミの打撃エネルギーを得て、上方や左右側方に比較的大きな速度で飛散するケースもある。解体作業等を遂行する解体現場には、解体現場外にこのような破砕片の飛散影響が及ばないように、飛散防止シートやネットで囲まれているため、現場外部については一応の安全が確保されている。
【０００９】
しかし、解体現場内には当該解体作業に直接携わらない他の複数の作業員や作業車、作業工具等が通常は存在し、解体等に関連する種々の作業を遂行している場合が多い。このように飛散した破砕片は、解体現場内であっても予期せぬアクシデントを招来する可能性も否定できない。
【００１０】
このため、ジャイアントブレーカーのノミの打撃により生じた破砕片は、可能な限り当該ノミに近接した狭い範囲内で閉じ込められるようにして、ノミから離間した空間には飛散させないことが好ましい。また、破砕片は、相当な硬度とエネルギーを有しており、打撃のみの周囲に配置された従来の蛇腹状樹脂やカバー等では極めて短時間で劣化が進行するため、耐久性が悪く実使用に耐えられるものではない。
【００１１】
本発明は、上述の問題点に鑑み為されたものであり、破砕片の飛散を効果的に防止できる金属製防飛散養生チェーンを備えたジャイアントブレーカー、及びジャイアントブレーカーへの金属製防飛散養生チェーン等の取り付け方法を提案すること等を目的とする。
【課題を解決するための手段】
【００１２】
本発明のジャイアントブレーカーは、ジャイアントブレーカーのノミと離間して、ノミの周囲の少なくとも一部に、一端がジャイアントブレーカーのヘッドに実装されて他端が自由状態とされた、複数の金属製防飛散養生チェーンを備え、金属製防飛散養生チェーンは、ノミが垂直下方に最大に延伸されてその先端が地面に接する状態において、その他端が少なくとも地面に接触するだけの長さを備えることを特徴とする。
【００１３】
また、本発明のジャイアントブレーカーは、ジャイアントブレーカーのノミと離間して、ノミの周囲の少なくとも一部に、一端がジャイアントブレーカーのヘッドに実装されて他端が自由状態とされた、複数の金属製防飛散養生ワイヤを備え、金属製防飛散養生ワイヤは、ノミが垂直下方に最大に延伸されてその先端が地面に接する状態において、その他端が少なくとも地面に接触するだけの長さを備えることを特徴とする。
【００１４】
また、本発明のジャイアントブレーカーの金属製防飛散養生チェーンまたはワイヤの取り付け方法は、複数の金属製防飛散養生チェーンまたはワイヤを一本ずつ、その一端をヘッドの側面に溶接で取り付ける、工程を有することを特徴とする。
【発明の効果】
【００１５】
破砕片の飛散を効果的に防止できる防飛散養生チェーン等を備えたジャイアントブレーカー、及びジャイアントブレーカーへの防飛散養生チェーン等の取り付け方法を提案できる。
【図面の簡単な説明】
【００１６】
【図１】本発明のジャイアントブレーカーのヘッドに溶接で取り付けられた金属製防飛散養生チェーンを説明する概要図である。
【図２】ノミの周囲の実装固定された金属製防飛散養生チェーンの周囲をさらに覆うシートを備えるジャイアントブレーカーを説明する図である。
【図３】金属製防飛散養生チェーンを実装固定されたジャイアントブレーカーのヘッドを側方から観察した写真を示す図であり、
【図４】金属製防飛散養生チェーンを実装固定されたジャイアントブレーカーのヘッドを車両前方側から観察した写真を示す図である。
【図５】その周囲に実装固定された金属製防飛散養生チェーンの周囲をさらに覆うシートを備えるジャイアントブレーカーのノミについて、運転席側ななめ方向から見た状態を説明する図である。
【図６】その周囲に実装固定された金属製防飛散養生チェーンの周囲をさらに覆うシートを備えるジャイアントブレーカーのノミについて、ななめ前方方向から見た状態を説明する図である。
【図７】その周囲に実装固定された金属製防飛散養生チェーンの周囲をさらに覆うシートを備えるジャイアントブレーカーのノミについて、前方方向から見た状態を説明する写真である。
【発明を実施するための形態】
【００１７】
本実施形態のジャイアントブレーカーは、ヘッドの周囲に防飛散養生チェーンが実装されている。防飛散養生チェーンは、ノミの先に対応する長さまであるので、ノミの打撃により生じた破砕片等の飛散を確実に遮断することができる。
【００１８】
防飛散養生チェーンは、ノミの周囲全体を被覆するように、フレーム部材に取り付けられるが、一部に空隙部（窓部）を設けてオペレータがノミの打撃位置を目視で確認できるようにしてもよい。また、防飛散養生チェーンは、所望の強度や耐久性を確保するために、例えば複数本を重畳させてヘッドや取り付けフレームに取り付けてもよく、所望の長さを確保するために複数本を継ぎ足しして用いてもよい。
【００１９】
図１は、本発明のジャイアントブレーカーのヘッド１０００に溶接で取り付けられた金属製防飛散養生チェーン２０００を説明する概要図である。図１においては、説明の便宜上、ジャイアントブレーカー本体は記載を省略し、ヘッド１０００とノミ１１００とヘッドの所定の周囲に溶接された金属製防飛散養生チェーン２０００のみを示している。
【００２０】
図１において、紙面左手側にジャイアントブレーカーの運転席が位置するものとなる。図１から理解できるように、ノミ１１００の左右側方及び前方には金属製防飛散養生チェーン２０００からなる防飛散養生の壁が形成されている。一方、運転席から見てノミ１１００の手前側には金属製防飛散養生チェーン２０００が設けられていない。
【００２１】
金属製防飛散養生チェーン２０００が実装されない開口部を設けることにより、運転席のオペレータが、ノミ１１００の打撃箇所や破砕対象物及び破砕状況を視認により確認できるようになる。金属製防飛散養生チェーン２０００の長さは、ノミ１１００の先端が接地した図１に示す状態において、地面に当接してやや余りが生じる程度とされている。
【００２２】
好ましくは、ノミ１１００を最も伸ばした状態で、図１に示すように自由端が地面に当接してやや余りが生じる程度の金属製防飛散養生チェーン２０００の長さとすることが好ましい。これにより、打撃ポイントの変動やノミ１１００の伸縮に拘わらず、常に金属製防飛散養生チェーン２０００の設置対応箇所には壁が形成されるものとなる。
【００２３】
金属製防飛散養生チェーン２０００が短すぎれば、ノミ１１００が伸びた場合に金属製防飛散養生チェーン２０００の下端が地面から浮き上がり地面周辺に空隙が生じる懸念がある。一方、金属製防飛散養生チェーン２０００が長すぎれば、破砕箇所やその周辺箇所に金属製防飛散養生チェーン２０００の長さ余り部分が過剰に接触して、破砕作業の障害となることが懸念される。
【００２４】
また、図１において、金属製防飛散養生チェーン２０００の上端は、ヘッド１０００の下方に位置して外方に突出して広がった段差部１０１０に溶接されている。ヘッド１０００の壁面の任意箇所に金属製防飛散養生チェーン２０００を溶接等で固定してもよいが、あまり上方に固定してしまうと、飛散養生として寄与しない無効なチェーン部分が大きくなる。
【００２５】
また、垂直かつほぼ平な壁面への均一な溶接作業は容易ではない。このため、ヘッド１０００の下方に固定することが好ましいが、特に段差部１０１０に取り付けることで、溶接固定等の場合の位置決めが容易となり、また固定し易いものとなるので好ましい。さらには、ヘッド１０００が備える不図示のノミ取り替え用孔に、任意の固定冶具をボルト等により固定して、金属製防飛散養生チェーン２０００を実装するものとしてもよい。
【００２６】
図３は、金属製防飛散養生チェーン２０００を実装固定されたジャイアントブレーカーのヘッド１０００を側方から観察した写真を示す図であり、図４は、金属製防飛散養生チェーン２０００を実装固定されたジャイアントブレーカーのヘッド１０００を車両前方側から観察した写真を示す図である。
【００２７】
図１、図３、図４において、金属製防飛散養生チェーン２０００はヘッド１０００の周囲の所定箇所に一本ずつ縦方向（ノミ１１００を鉛直方向にした場合には当該鉛直方向）に並べて配置されている。しかし、これに限定されるものではなく、複数のチェーンを重畳させて配置してもよい。重畳させてチェーン配置する場合には、溶接個所を上下２段以上に設けて溶接等固定してもよい。
【００２８】
また、図１、図３、図４には示していないが、金属製防飛散養生チェーン２０００の代わりに、または金属製防飛散養生チェーン２０００とともに、金属製防飛散養生ワイヤを用いることもできる。金属製防飛散養生ワイヤは、チェーンの太さ程度の太いワイヤを用いてもよいし、細いワイヤを箒のように複数本重畳させて所定の厚さを有するものとし、ヘッド１０００の周囲に配置してもよい。
【００２９】
また、図２は、ノミ１１００の周囲に実装固定された金属製防飛散養生チェーン２０００の周囲をさらに覆うシート３０００を備えるジャイアントブレーカーを説明する図である。図２においては、説明の便宜上、ジャイアントブレーカーの本体については記載を省略している。
【００３０】
図２に示すように、ノミ１１００の段差部１０１０に上端が固定された金属製防飛散養生チェーン２０００の各々のチェーンは、その下端が自由状態とされており、所定の長さで揃えられている。また、金属製防飛散養生チェーン２０００をその外方で覆うシート３０００は、例えばゴムシート等の任意の樹脂シートや布シート等で構成されてもよく、下端は金属製防飛散養生チェーン２０００の長さを略同一である。
【００３１】
図２において、シート３０００は、ノミ１１００の中ほどの外壁に配置されたノミ取り替え用孔に抑え板を用いてボルトで固定されている。図５は、その周囲に実装固定された金属製防飛散養生チェーン２０００の周囲をさらに覆うシート３０００を備えるジャイアントブレーカーのノミ１１００について、運転席側ななめ方向から見た状態を説明する図である。
【００３２】
また、図６は、その周囲に実装固定された金属製防飛散養生チェーン２０００の周囲をさらに覆うシート３０００を備えるジャイアントブレーカーのノミ１１００について、ななめ前方方向から見た状態を説明する写真である。図６の写真において右手上方には、走行用ベルトを備えるジャイアントブレーカーの本体の一部が確認できる。
【００３３】
図６において、シート３０００は、ノミ取り替え用孔３１００（１），３１００（２）のセットを複数備えることが理解できる。すなわち、図６に示されるシート３０００の抑え板４０００及びボルト４１００（１），４１００（２）が位置する箇所の下方にもノミ取り替え用孔のセット（二つの孔）がある。これにより、当該二つの孔を利用すれば、破砕環境に対応して、適宜シート３０００を図６の状態より上方に取り付け固定することが可能となる。
【００３４】
また、図７は、その周囲に実装固定された金属製防飛散養生チェーン２０００の周囲をさらに覆うシート３０００を備えるジャイアントブレーカーのノミ１１００について、前方方向から見た状態を説明する写真である。図７の写真においてヘッド１１００後方には、走行用ベルトを備えるジャイアントブレーカーの本体が確認できる。
【００３５】
図７においても、シート３０００は、ノミ取り替え用孔のセットを複数備えることが理解できる。すなわち、図７に示されるシート３０００の抑え板及びボルトが位置する箇所の下方にもノミ取り替え用孔のセット（二つの孔）がある。これにより、当該二つの孔を利用すれば、破砕環境に対応して、適宜シート３０００を図６の状態より上方に取り付け固定することが可能となる。また、抑え板は、図６及び図７に示すように、外方に凸となった断面くの字型の抑え板を用いることが好ましい。これにより、くの字型の端部二か所にてシート３０００を強固に固定することが可能となる。
【００３６】
本発明のジャイアントブレーカーは、ジャイアントブレーカーのノミと離間して、ノミの周囲の少なくとも一部に、一端がジャイアントブレーカーのヘッドに実装されて他端が自由状態とされた、複数の金属製防飛散養生チェーンを備え、金属製防飛散養生チェーンは、ノミが垂直下方に最大に延伸されてその先端が地面に接する状態において、その他端が少なくとも地面に接触するだけの長さを備えることを特徴とする。
【００３７】
これにより、ノミによる破砕作業に伴う破砕片の飛散を金属製防飛散養生チェーン（鎖）により防止することが可能となる。金属製防飛散養生チェーンは縦簾のようにノミの周囲にフレキシブルな壁を形成する。また、ノミの伸縮に伴い、金属製防飛散養生チェーンが地面に弛んで長さが余ったとしても、金属製防飛散養生チェーンの自重により形成された壁自体は、ノミの伸び縮みに拘わらずノミの長さ相当分は常に維持される。
【００３８】
また、金属製防飛散養生チェーンは、金属鎖であるため強度があり、コンクリート片などのアルカリ塊に飛散に対しても比較的高い耐久性を有する。いわゆるシートのみで養生した場合には、破砕片の強力な激突により比較的短い時間（典型的には１〜３日程度）で消耗してしまうこともある。しかし、金属製防飛散養生チェーンであれば、一般的な破砕片であるコンクリート片またはコンクリート片と金属ワイヤとの混成物に対しても、同等以上の強度や硬度を有するため、良好な耐久性を有する。
【００３９】
さらに、使用状態においては、金属製防飛散養生チェーンの下端は自由状態か地面に当接するかであるので、鎖の壁が比較的フレキシブルに可撓性を有する特性を備える。比較的大きな重量のある破砕片が金属製防飛散養生チェーンに激突した場合には、そのエネルギーを柔らかに受け止めて失速させて、またチェーンに絡めるようにして勢いを止めた上で、下に落とすことが可能である。すなわちこのような場合にはチェーンは柔軟に外方に膨らみながら緩衝領域を適宜形成して、激突の衝撃を適切に緩和することが可能である。このため、金属製防飛散養生チェーンそれ自体への損傷が少なくて済む。
【００４０】
さらに、金属製防飛散養生チェーンには、その構造上、小さな空隙が存在するため、このような空隙で破砕片の突出部等を受け止めて衝撃緩和することも可能である。例えば、小さなワイヤ断片が突出している破砕片が激突した場合には、従来の単なるシート状の養生では、当該ワイヤ先端がシートに突き刺さるか切り裂くか少なくとも傷つけるかすることとなるので、シートへのダメージは極めて大きい。本発明においては、このようなワイヤ先端を鎖の空隙等で係止するように衝撃吸収できるので、鎖本体へのダメージは殆ど無いと考えられる。
【００４１】
また、本発明のジャイアントブレーカーは、好ましくは金属製防飛散養生チェーンの一端が、ヘッドの下方に備えられヘッドの壁面から外側に張り出した段差部に実装されることを特徴とする。
【００４２】
これにより、より強固かつ確実に、金属製防飛散養生チェーンをヘッドに実装することが可能となる。金属製防飛散養生チェーンは、一本一本を例えば溶接により、ヘッド側面の段差部に固定してもよい。使用状態では垂直に維持されることが多いヘッドの壁面において、平面状の壁面の任意の場所に金属製防飛散養生チェーンを溶接することも可能ではある。しかし、壁面の下方に位置する段差部分に溶接することで、溶接位置決めが容易となり、かつ溶接作業も比較的容易に行えるものとなって、溶接後の固着安定性も良好となる。
【００４３】
また、本発明のジャイアントブレーカーは、さらに好ましくは金属製防飛散養生チェーンが、ノミが垂直下方に最大に延伸されてその先端が地面に接する状態において、地面に接する程度の長さであることを特徴とする。
【００４４】
これにより、ノミが最大限に伸びた状態でも、ヘッドの実装部分から地面に達するまでノミの長さ全体に亘って、途切れずに金属製防飛散養生チェーンの壁を形成することが可能となる。従って、ノミの打撃ポイントから、いずれの高さ角度でいずれの高さ方向に破砕片が飛散したとしても、逃すことなく漏れなく破砕片を捕らえることが可能となる。
【００４５】
また、ノミの全周囲に亘って周回するように途切れなく、金属製防飛散養生チェーンの壁を形成することも可能であるが、例えば、運転席方向については金属製防飛散養生チェーンの壁を形成しないものとできる。これにより、ジャイアントブレーカーのオペレータや運転者からは、ノミの打撃箇所を視認し易いものとなる。このような金属製防飛散養生チェーンの欠落した窓部分は、オペレータ側を中心としてノミの側方手前までとすることもできる（図１乃至図４等参照）。
【００４６】
また、本発明のジャイアントブレーカーは、さらに好ましくは複数の金属製防飛散養生チェーンが、同一の長さで並列に実装されることを特徴とする。
【００４７】
これにより、金属製防飛散養生チェーンにより形成される壁が均一になるので、当該壁の範囲内においては破砕片の飛散方向や向きに拘わりなく、安定した破砕片の捕獲および飛散防止が可能となる。なお、説明を要するまでもないとは思われるが、金属製防飛散養生チェーンにより捕獲された破砕片は、その後重力により地面に落下することとなる。
【００４８】
また、本発明のジャイアントブレーカーの金属製防飛散養生チェーンの取り付け方法は、複数の金属製防飛散養生チェーンを一本ずつ、その一端をヘッドの側面に溶接で取り付ける、工程を有することを特徴とする。
【００４９】
これにより、複数の金属製防飛散養生チェーンを、確実かつ強固にジャイアントブレーカーのヘッドに装着することができる。
【００５０】
本発明のジャイアントブレーカーは、ジャイアントブレーカーのノミと離間して、ノミの周囲の少なくとも一部に、一端がジャイアントブレーカーのヘッドに実装されて他端が自由状態とされた、複数の金属製防飛散養生ワイヤを備え、金属製防飛散養生ワイヤは、ノミが垂直下方に最大に延伸されてその先端が地面に接する状態において、その他端が少なくとも地面に接触するだけの長さを備えることを特徴とする。
【００５１】
これにより、ノミの破砕に伴う破砕片の飛散を金属製防飛散養生ワイヤにより防止することが可能となる。金属製防飛散養生ワイヤは縦簾のようにノミの周囲にフレキシブルな壁を形成する。
【００５２】
また、金属製防飛散養生ワイヤは、金属であるため強度があり、コンクリート片などのアルカリ塊に飛散に対しても比較的高い耐久性を有する。いわゆるシートのみで養生した場合には、破砕片の強力な激突により比較的短い時間で消耗してしまうことが多い。しかし、金属製防飛散養生ワイヤであれば、一般的な破砕片であるコンクリート片またはコンクリート片と金属ワイヤとの混成物に対しても、同等以上の強度や硬度を有するため、良好な耐久性を有する。
【００５３】
さらに、使用状態においては、金属製防飛散養生ワイヤの下端は自由状態か地面に当接するか程度とすることにより、ワイヤの壁が比較的フレキシブルに可撓性を有する特性を備える。比較的大きな重量のある破砕片が金属製防飛散養生ワイヤに激突した場合には、そのエネルギーを柔らかに受け止めて失速させて、また複数のワイヤで絡めるようにして勢いを止めた上で、下に落とすことが可能である。すなわちこのような場合にはワイヤは柔軟に外方に膨らみながら緩衝領域を適宜形成して、激突の衝撃を適切に緩和することが可能である。このため、金属製防飛散養生ワイヤそれ自体への損傷が少なくて済む。
【００５４】
さらに、金属製防飛散養生ワイヤ間には、小さな空隙が存在するため、このような空隙で破砕片の突出部等を受け止めて衝撃緩和することも可能である。例えば、小さなワイヤ断片が突出している破砕片が激突した場合には、従来の単なるシート状の養生では、当該ワイヤ先端がシートに突き刺さるか切り裂くか少なくとも傷つけるかすることとなるので、シートへのダメージは極めて大きい。本発明においては、このようなワイヤ先端をワイヤ間の空隙等で挟み込むように衝撃吸収できるので、ワイヤ本体へのダメージは殆ど無いと考えられる。
【００５５】
また、さらに好ましくは金属製防飛散養生ワイヤをより細いワイヤで構成し、箒のように複数層密に重畳されて、まさに箒のごとく任意の厚さを有するものとする。このような構成とすることにより、より柔軟でありながら、衝撃緩和機能および耐久性の高い特性を備えるものとできる。ある程度の厚さを有するように細いワイヤを束ねるか重畳配置することにより、より重量のある大きな破砕片に対しても確実に飛散防止可能となる。また、より小さな破砕片に対してもより高い飛散防止特性を有するものとできる。
【００５６】
本発明のジャイアントブレーカーは、さらに好ましくは金属製防飛散養生ワイヤの一端が、ヘッドの下方に備えられヘッドの壁面から外側に張り出した段差部に実装されることを特徴とする。
【００５７】
これにより、より強固かつ確実に、金属製防飛散養生ワイヤをヘッドに実装することが可能となる。金属製防飛散養生ワイヤは、一本一本を例えば溶接により、ヘッド側面の段差部に固定してもよい。使用状態では垂直に維持されることが多いヘッドの壁面において、平面状の壁面の任意の場所に金属製防飛散養生ワイヤを溶接することも可能ではある。しかし、壁面の下方に位置する段差部分に溶接することで、溶接位置決めが容易となり、かつ溶接作業も比較的容易に行えるものとなって、溶接後の固着安定性も良好となる。
【００５８】
本発明のジャイアントブレーカーは、さらに好ましくは金属製防飛散養生ワイヤがノミを並行であって、ノミが垂直下方に最大に延伸されてその先端が地面に接する状態において、地面に接する程度の長さであることを特徴とする。
【００５９】
これにより、ノミが最大限に伸びた状態でも、ヘッドの実装部分から地面に達するまでノミの長さ全体に亘って、途切れずに金属製防飛散養生ワイヤの壁を形成することが可能となる。従って、ノミの打撃ポイントから、いずれの高さ角度でいずれの高さ方向に破砕片が飛散したとしても、逃すことなく漏れなく破砕片を捕らえることが可能となる。
【００６０】
また、ノミの全周囲に亘って周回するように途切れなく、金属製防飛散養生ワイヤの壁を形成することも可能であるが、例えば、運転席方向については金属製防飛散養生ワイヤの壁を形成しないものとできる。これにより、ジャイアントブレーカーのオペレータや運転者からは、ノミの打撃箇所を視認し易いものとなる。このような金属製防飛散養生ワイヤの欠落した窓部分は、オペレータ側を中心としてノミの側方手前までとすることもできる（図１乃至図４等参照）。
【００６１】
本発明のジャイアントブレーカーは、さらに好ましくは複数の金属製防飛散養生ワイヤが、同一の長さで並列に実装されることを特徴とする。
【００６２】
これにより、金属製防飛散養生ワイヤにより形成される壁が均一になるので、当該壁の範囲内においては破砕片の飛散方向や向きに拘わりなく、安定した破砕片の捕獲および飛散防止が可能となる。なお、説明を要するまでもないとは思われるが、金属製防飛散養生ワイヤにより捕獲された破砕片は、その後重力により地面に落下することとなる。
【００６３】
本発明のジャイアントブレーカーは、さらに好ましくは複数の金属製防飛散養生ワイヤが、ナイロンスリングを芯として備えるか、または、布と鋼材を巻き込んだワイヤであることを特徴とする。
【００６４】
使用するワイヤは、ナイロンスリングの芯を有するワイヤや、布と鋼材とを織り込んだ構造を有するワイヤとすることが好ましい。このようなワイヤでは、仮に劣化したり、破砕片により切断されたとしても、ちぎれて飛散することがない。仮にちぎれた場合でも、古くなった箒のように、ほつれたようにほどけたように個々の鋼材繊維が放射状に広がるものとなるのみである。従って、経時劣化が進行したとしても、破砕片の防飛散養生の機能を突然に大きく損なうことがなく、安定してかつ安心して使用できるものとなる。劣化が進行して鋼材繊維がほどけてきた場合に、交換等のメンテナンスを行えばよい。
【００６５】
また、本発明のジャイアントブレーカーの金属製防飛散養生ワイヤの取り付け方法は、複数の金属製防飛散養生ワイヤを一本ずつ、その一端をヘッドの側面にノミと並行になるように溶接で取り付ける、工程を有することを特徴とする。
【００６６】
これにより、複数の金属製防飛散養生ワイヤを、確実かつ強固にジャイアントブレーカーのヘッドに装着することができる。
【００６７】
また、本発明のジャイアントブレーカーは、上述のいずれかに記載のジャイアントブレーカーにおいて、ノミの周囲の少なくとも一部とは、ジャイアントブレーカーの運転席から見て、ノミの前方及びノミの右側面及びノミの左側面であることを特徴とする。
【００６８】
これにより、オペレータからのノミの打撃箇所の確認や視認を確実なものとして良好に保ちながら、オペレータから前方方向な斜め前方方向及び側方への破砕片の飛散を確実に防止可能とできる。また、オペレータのノミに対する視野が確保されるので、安全な作業が遂行可能となる。オペレータ方向についての飛散は、ジャイアントブレーカー本体が障壁となって飛散を防止できるし、オペレータは通常防護ガラス等で覆われた運転席に着席していることから安全を確保できる。
【００６９】
また、本発明のジャイアントブレーカーは、上述のいずれかに記載のジャイアントブレーカーにおいて、金属製防飛散養生チェーンまたは金属製防飛散養生ワイヤを覆うシートを備えることを特徴とする。
【００７０】
これにより、さらに細かい粉塵のような微粉末の飛散も防止できるものとなるので好ましい。
【００７１】
本発明のジャイアントブレーカー等は、上記した実施形態等における説明に限定されるものではなく、当業者に自明な範囲でかつ本発明の開示する技術思想の範囲内において、適宜改良し、または／および適宜組み合わせ適用やアレンジして用いることが可能である。例えば、図２に示すシート３０００はゴム製としてもよいし、防弾チョッキの生地を用いることとしてもよい。防弾チョッキは、防弾ベストまたは防弾衣等で呼称されることもあり、ケブラーやアラミド繊維を幾重にも織り込んだ強靭な繊維の生地や、金属、セラミックプレートが用いられることもある。ケブラーは、典型的には、パラフェニレンジアミンとテレフタル酸クロリドの重合によって形成されて、分子構造が剛直で直鎖状の骨格を持つことから、高強度・高耐熱性であり、同重量の鋼鉄と比較すると５倍程度の強度を持つことが知られている。また、アラミド繊維は、一般的に高強力、耐熱性かつ高い寸法安定性や耐薬品性などの優れた特性を有し、いわゆる高機能繊維と言われる生地である。このような生地を用いることで、破砕片の飛散を確実かつ長期間に亘って防止できるような、高耐久性と高信頼性等を確保することが可能となる。
【産業上の利用可能性】
【００７２】
本発明は、ジャイアントブレーカーを典型例とする各種ブレーカーや圧砕機、建設・解体用機械等に好適である。
【符号の説明】
【００７３】
１０００・・ヘッド、１０１０・・段差部、１１００・・ノミ、２０００・・金属製防飛散養生チェーン、３０００・・シート。
【図１】
2018187690.tif 000003
【図２】
2018187690.tif 000004
【図３】
2018187690.tif 000005
【図４】
2018187690.tif 000006
【図５】
2018187690.tif 000007
【図６】
2018187690.tif 000008
【図７】
2018187690.tif 000009